(57)【特許請求の範囲】
【請求項１】
容器の口部に装着される装着部と、当該装着部の上方に配置されてその押し下げ及び復帰の繰り返しにより容器の内容物を吐出するヘッドとを備える容器用吐出器であって、
上方に向かって起立する装着部に設けられた支柱と、当該支柱の先端部に回転可能に支持されるとともにヘッドを上方から押圧可能な押圧部材と、当該押圧部材の側面に回転可能に支持される回転部材と、当該回転部材から一体に伸びるアーム部材とを備え、
回転部材を一方に回転させることにより、アーム部材の先端を装着部に接触させてヘッドの押し下げを阻止する一方、当該回転部材を他方に回転させることにより、アーム部材の先端を引き起こしてヘッドを押し下げるための操作レバーとして機能させることを特徴とする容器用吐出器。
【請求項２】
請求項１において、押圧部材の内周面に長溝を形成するとともに、当該長溝に配置される突起を回転部材に設け、当該突起が長溝の終端に接触することで回転部材の回転角度を制限するようにしたことを特徴とする容器用吐出器。
【請求項３】
請求項１又は２において、押圧部材の側面及び回転部材の側面の少なくとも一方に、指を引っ掛けるための凹所を形成したことを特徴とする容器用吐出器。
【請求項４】
請求項１乃至３のいずれか１項において、装着部に、アーム部材の先端を乗り越え可能に係止する突起を設けたことを特徴とする容器用吐出器。
【請求項５】
請求項１乃至４のいずれか１項において、アーム部材に、ノズルカバーを設けたことを特徴とする容器用吐出器。
【発明の詳細な説明】
【技術分野】
【０００１】
本発明は、容器用吐出器に関するものである。
【背景技術】
【０００２】
操作性を考慮した容器用吐出器には、取付キャップから立設させた支柱に操作レバーを設け、ヘッドを押し下げることで、操作性を向上させたものがある（例えば、特許文献１参照）。
【先行技術文献】
【特許文献】
【０００３】
【特許文献１】特開２０１０−８３５２７号公報
【発明の概要】
【発明が解決しようとする課題】
【０００４】
しかしながら、こうした容器用吐出器は、操作性が良好であることから、不用意にレバーを操作することで、中身を吐出させてしまうことが考えられる。これに対し、レバーを不用意に牽曳させないように、ストッパやオーバーキャップを設けることも考えられるが、紛失などの可能性がある。
【０００５】
本発明の目的とするところは、別部材を用いることなく、誤ったポンプ操作を防止することができ、しかも、操作性の良好な、新規な容器用吐出器を提供することにある。
【課題を解決するための手段】
【０００６】
本発明は、容器の口部に装着される装着部と、当該装着部の上方に配置されてその押し下げ及び復帰の繰り返しにより容器の内容物を吐出するヘッドとを備える容器用吐出器であって、上方に向かって起立する装着部に設けられた支柱と、当該支柱の先端部に回転可能に支持されるとともにヘッドを上方から押圧可能な押圧部材と、当該押圧部材の側面に回転可能に支持される回転部材と、当該回転部材から一体に伸びるアーム部材とを備え、回転部材を一方に回転させることにより、アーム部材の先端を装着部に接触させてヘッドの押し下げを阻止する一方、当該回転部材を他方に回転させることにより、アーム部材の先端を引き起こしてヘッドを押し下げるための操作レバーとして機能させることを特徴とするものである。
【０００７】
本発明では、押圧部材の内周面に長溝を形成するとともに、当該長溝に配置される突起を回転部材に設け、当該突起が長溝の終端に接触することで回転部材の回転角度を制限することができる。また、押圧部材の側面及び回転部材の側面の少なくとも一方に、指を引っ掛けるための凹所を形成することができる。凹所には、貫通孔が含まれる。また、装着部に、アーム部材の先端を乗り越え可能に係止する突起を設けることができる。さらに、アーム部材に、ノズルカバーを設けることができる。
【発明の効果】
【０００８】
本発明によれば、回転部材を一方に回転させれば、アーム部材の先端が装着部に接触するため、ヘッドの押し下げを阻止することができる。これにより、別部材を用いることなく、誤ったポンプ操作を防止することができる。また、回転部材を他方に回転させることにより、アーム部材を引き起こせば、アーム部材を操作レバーとして用いて内容物を吐出させることができる。これにより、操作レバーを設けたときと同様、良好な操作性を維持することができる。
【０００９】
従って、本発明によれば、別部材を用いることなく、誤ったポンプ操作を防止することができ、しかも、操作性の良好な、新規な容器用吐出器を提供することができる。
【図面の簡単な説明】
【００１０】
【図１】本発明である、容器用吐出器の第1の実施形態であって、ヘッドの押し下げが阻止された状態を容器本体とともに示す要部斜視図である。
【図２】同形態を容器本体とともに示す要部分解図である。
【図３】同形態をヘッドの押し下げが阻止された状態で容器本体とともに示す要部側面図である。
【図４】同形態の一使用可能状態を容器本体とともに示す要部斜視図である。
【図５】同使用状態を容器本体とともに示す要部側面図である。
【図６】同形態の他の使用状態を容器本体とともに示す要部斜視図である。
【図７】本発明である、容器用吐出器の第２の実施形態であって、ヘッドの押し下げが阻止された状態を容器本体とともに示す要部斜視図である。
【図８】同形態の一使用可能状態を容器本体とともに示す要部斜視図である。
【発明を実施するための形態】
【００１１】
以下、図面を参照して、本発明の様々な実施形態を詳細に説明する。
【００１２】
図1中、符号１０は、本発明の第1の実施形態である容器用吐出器である。符号１１は、容器Ｃの口部（図示省略）に装着される装着部である。装着部１１は、口部を取り囲む周壁１１ａと天壁１１ｂで構成された装着筒である。容器Ｃと装着部１１との間は、図示せぬポンプが配置されている。天壁１１ｂには、貫通孔１１ｃが形成されている。貫通孔１１ｃには、ポンプを駆動させるとともに容器Ｃの内容液を通すステム１２が摺動可能に貫通している。
【００１３】
符号１３は、ポンプを駆動させるとともに内容液を排出するためのヘッドである。ヘッド１３は、ステム１２に固定されるヘッド本体１３ａとノズル１３ｂとを有する。ノズル１３ｂは、先端に吐出口Ａ０を有し、ステム１２からヘッド本体１３ａを通して送られた内容液を吐出する。これにより、ヘッド１３は、装着部１１の上方に配置されてその押し下げ及び復帰の繰り返しにより容器Ｃの内容液を排出する。
【００１４】
ここで、装着部１１には、上方に向かって起立する支柱１４が一体に設けられている。支柱１４は、図２に示すように、その先端部１４ａには、先端を開放する凹部１４ｃが形成されているとともに、横向きの貫通孔１４ｂが形成されている。また、本形態では、先端部１４ａの横幅が幅広に構成されている。さらに、本形態では、先端部１４ａは、ノズル１３ｂの上側を横切ってオーバーラップした状態に形成されている。
【００１５】
符号１５は、ヘッド１３を上方から押圧可能な押圧部材である。押圧部材１５は、その内側に貫通孔Ａ１が形成された押圧本体部１５ａを有する。押圧本体部１５ａは、ヘッド１３の天壁１３ｃに接触させることができる。押圧本体部１５ａの外面には、貫通孔１５ｂが形成された凸部１５ｃが一体に形成されている。凸部１５ｃは、支柱１４に形成された凹部１４ｃに収容することができる。また、凸部１５ｃの左右両側には、軸部１５ｂが一体に設けられている。軸部１５ｂはそれぞれ、支柱１４の貫通孔１４ｂに回転可能に嵌合させることができる。これにより、軸部１５ｂを貫通孔１４ｂに嵌合させれば、押圧部材１５は、装着部１１に対して貫通孔１４ｂ周りに回転可能に支持される。なお、本発明に従えば、貫通孔１４ｂと軸部１５ｂとの関係は置き換えることができる。また、貫通孔１４ｂは、凹部で構成することができる。
【００１６】
符号１７は、押圧部材１５に対して回転可能な回転部材である。回転部材１７は、大径部１７ａと小径部１７ｂからなる。小径部１７ｂは、押圧本体部１５ａに形成された貫通孔Ａ１に摺動可能に嵌合する。大径部１７ａは、押圧本体部１５ａの側面と接触することで、貫通孔Ａ１に対する小径部１７ｂの挿入を制限する。これにより、回転部材１７は、図１に示すように、押圧部材１５の側面に回転可能に支持される。なお、本形態では、図２に示すように、小径部１７ｂの外周には、突起１７ｓが一体に設けられている。これに対し、押圧本体部１５ａの内周面には、周方向に沿って長溝１５ｄが形成されている。本形態では、長溝１５ｄは、押圧本体部１５ａの側面に開放されている。長溝１５ｄには、小径部１７ｂに設けた突起１７ｃを配置することができる。これにより、回転部材１７は、突起１７ｃが長溝１５ｄの終端１５ｓに接触するまで前後に回転させることができる。また、本発明に従えば、長溝１５ｄは、螺旋溝として構成することができる。さらに、回転部材１７の内側には貫通孔Ａ２が形成されている。これにより、押圧部材１５に回転部材１７を組み付ければ、貫通孔Ａ１及びＡ２は全体として、互いを通して外界に通じる貫通孔としてなる。
【００１７】
符号１８は、アーム部材である。アーム部材１８は、大径部１７ａから一体に伸びる。また、本形態では、先端部１８ａの横幅が幅広に構成されている。さらに、本形態では、先端部１８ａは、ノズル１３ｂの下側を横切ってオーバーラップした状態に形成されている。アーム部材１８の先端１８ｅは、図３に示すように、装着部１１の天壁１１ｂに接触させることができる。先端１８ｅが天壁１１ｂに接触すれば、アーム部材１８がつっかえ棒となって、押圧部材１５は回転部材１７とともに支柱１４に対して回転できないことなる。このため、押圧部材１５が軸部１６を基点に回転することによって、ヘッド１３を押し下げることを阻止できる。これにより、別部材を用いることなく、誤ったポンプ操作を防止することができる。
【００１８】
本形態では、装着部１１の天壁１１ｂには、突出部１１ｐが一体に設けられている。突出部１１ｐは、アーム部材１８の先端部１８ａを係止する。これにより、アーム部材１８を強固に位置決めすることで確実なストッパ機能を発揮させることができる。図３は、アーム部材１８の先端部１８ａが突出部１１ｐに係止された状態を示す側面図である。
【００１９】
また、アーム部材１８の先端部１８ａは、押圧部材１５に対して回転するときに一定以上の回転力が負荷されることよって突出部１１ｐを乗り越えることができる。アーム部材１８は、回転部材１７を他方に回転させて、突出部１１ｐを乗り越えることにより、図４に示すように、引き起こすことができる。本形態では、回転部材１７の押圧部材１５回りの回転角度は、例えば、押圧本体部１５ａに形成した長溝１５ｄの長さを調整して２つの終端１５ｓの間の周方向距離を適宜変更することで図３に示すように、アーム部材１８の先端１８ｅが装着部１１の天壁１１ｂに接触した位置から、図５に示すように、約２７０度までの範囲を回転させることができる。ただし、回転部材１７の回転角度は、これに限定されるものではない。
【００２０】
引き起こされたアーム部材１８は、回転部材１７に設けた突起１７ｓが押圧本体部１５ａに形成した長溝１５ｄのうちの、一方の終端１５ｓに接触した状態（本形態では、図４に示す２７０度の状態）で固定されることにより、ヘッドを押し下げるための操作レバーとして機能させることができる。この場合、使用の一例として、図５に示すように、引き起こされたアーム部材１８の先端部１８ａを押し下げれば、押圧部材１５は、貫通孔１４ｂ周りに回動して押し下げられることで、ヘッド１３の天壁１１を押し下げる。このように、アーム部材１８を用いれば、貫通孔１４ｂ内に配置された軸部１５ｂを支点としたてこの原理により、ヘッド１３を軽い力で押し下げることができる。
【００２１】
また、アーム部材１８の押し下げを解除すれば、ステム１２を介してヘッド１３が上方に押し上がって初期位置に復帰する。この操作を繰り返せば、アーム部材１８を操作レバーとして用いて内容物を吐出させることができる。従って、本形態では、操作レバーを設けたときと同様、良好な操作性を維持することができる。
【００２２】
このように、本形態によれば、別部材を用いることなく、誤ったポンプ操作を防止することができ、しかも、操作性の良好な、新規な容器用吐出器を提供することができる。
【００２３】
なお、本形態では、図３等に示すように、アーム部材１８に反りを与えることで、ストッパ機能を解除するときは、突出部１１ｐを乗り越えやすく、操作レバーとして機能させるときには、指が掛かり易くなっている。このように、本形態では、アーム部材１８に反りを与えることで、操作性の向上を図っている。
【００２４】
また、本形態では、上述のとおり、押圧部材１５の側面及び回転部材１７の側面に開口する貫通孔Ａ１及びＡ２が形成されている。このため、図６に示すように、貫通孔Ａ１及びＡ２に指を通して引っ掛けることでヘッド１３を押し下げることができる。このとき、ヘッド１３を押圧する指がずれないため、良好な操作性を確保することができる。また、貫通孔Ａ１及びＡ２を用いることで、容器本体Ｃを吐出器１０とともに吊り下げることもできる。
【００２５】
なお、本形態では、指を引っ掛けるための凹所を貫通孔Ａ１及びＡ２で構成したが、本発明に従えば、文言とおり、押圧部材１５と回転部材１７との間を貫通させることなく、押圧部材１５の側面及び回転部材１７の側面の少なくとも一方に形成した凹部で構成することができる。
【００２６】
図７及び図８は、本発明の第２の実施形態である吐出器２０の不使用時及び使用時それぞれを示す。本形態では、アーム部材１８に、ノズルカバー１９が一体に設けられている。このように、ノズルカバー１９を設ければ、内容液が固化し難くなるので、良好な操作性の維持に有効である。なお、本形態において、図１〜図７と同一の部分は、同一の符号をもって、その説明を省略する。
【００２７】
上述したところは、本発明の様々な実施形態であるが、本発明に従えば、様々な変更が可能となる。例えば、装着部１１と支柱１４は、本形態のように一体に成形する他、別体として組み付けることができる。回転部材１７とアーム部材１８についても同様に、別体とすることができる。押圧本体部１５ａは、本形態のように、断面円筒形とすれば、ヘッド１３に対する押圧がスムースに行われるために好適であるが、これに限定されるものではない。また、貫通孔Ａ１及びＡ２のような凹所は省略することができる。更に、各形態の各構成中に採用される要素は、適宜、転用等を行うことができる。
【産業上の利用可能性】
【００２８】
本発明は、容器の口部に装着される装着部と、当該装着部の上方に配置されてその押し下げ及び復帰の繰り返しにより容器の内容物を吐出するヘッドとを備える容器用吐出器であれば、シャンプー、リンス、乳液、化粧品等、内容物を問わない。
【符号の説明】
【００２９】
１０    吐出器（第１の実施形態）
１１    装着部
１２    ステム
１３    ヘッド
１４    支柱
１５    押圧部材
１７    回転部材
１８    アーム部材
１８ａ  先端部
１８ｅ  先端
１９    ノズルカバー
２０    吐出器（第２の実施形態）
【図１】
0005813567.tif 000002
【図２】
0005813567.tif 000003
【図３】
0005813567.tif 000004
【図４】
0005813567.tif 000005
【図５】
0005813567.tif 000006
【図６】
0005813567.tif 000007
【図７】
0005813567.tif 000008
【図８】
0005813567.tif 000009